(57)【要約】【課題】宗派毎に異なるばかりでなく、同じ宗派であっても土地や喪主の家或いは葬儀を司る僧侶や寺によっても少しずつ異なり得る焼香等の会葬作法を、会葬者に対して、適切に案内できる装置を提供する。【解決手段】  以下の機能を有する装置。喪主の宗派が指定されると、その宗派の焼香等の作法を演ずる映像を控室等のモニタに表示する。また、簡略化説明の表示がユーザの操作入力により指令されると、当該宗派・喪主の焼香作法に対する許容度に応じた簡略化説明（当該の焼香作法をどのように簡略化することができるかの説明）をテロップで表示する。さらに、唱名（南無阿弥陀仏等）を誤唱することに対する許容度が小さい宗派の場合は、当該宗派の唱名をテロップで表示する。【選択図】図１
2010055636.tif 000002
【特許請求の範囲】
【請求項１】
映像識別情報に、会葬作法を演ずる会葬案内映像をそれぞれ対応付けて、所定の記憶装置にて保持している映像データ保持手段と、
宗派に、前記映像識別情報の何れかをそれぞれ対応付けて、所定の記憶装置にて保持している宗派−映像保持手段と、
所定の装置を介する入力によって指定された宗派に対応付けられている映像識別情報が指示する会葬案内映像を、前記映像データ保持手段から読み出して、所定の表示装置に表示する表示制御手段と、
を有することを特徴とする会葬作法案内装置。
【請求項２】
請求項１に於いて、
宗派に、会葬作法簡略化の許容度をそれぞれ対応付けて、所定の記憶装置にて保持している作法許容度保持手段と、
宗派に、会葬作法簡略化の態様を説明する簡略化説明情報をそれぞれ対応付けて、所定の記憶装置にて保持している簡略化情報保持手段と、
を更に有し、
前記表示制御手段は、指定された宗派の会葬作法簡略化の許容度が所定レベル以上であることを条件として、当該宗派に対応付けられている簡略化説明情報を前記簡略化情報保持手段から読み出して会葬案内映像内に表示する、
ことを特徴とする会葬作法案内装置。
【請求項３】
請求項２に於いて、
前記表示制御手段は、所定の入力装置からの操作入力により会葬作法簡略化の態様の説明が指令されたことを更なる条件として、簡略化説明情報を読み出して表示する、
ことを特徴とする会葬作法案内装置。
【請求項４】
請求項２又は請求項３に於いて、
前記作法許容度保持手段が保持する各宗派の許容度を揮発性メモリの所定の領域に複写して、所定の入力装置からの操作入力に応じて各別に書換可能なように保持する一時的作法許容度保持手段、を更に有し、
前記表示制御手段は、会葬作法簡略化の許容度が所定レベル以上であるか否かを、前記一時的作法許容度保持手段に保持されているデータを用いて判別する、
ことを特徴とする会葬作法案内装置。
【請求項５】
請求項４に於いて、
前記簡略化情報保持手段は、宗派と会葬作法簡略化の許容度とに対応付けて簡略化説明情報を保持しており、
前記表示制御手段は、当該宗派と当該会葬作法簡略化の許容度とに対応付けられている簡略化説明情報を読み出して表示する、
ことを特徴とする会葬作法案内装置。
【請求項６】
請求項２〜請求項５の何れかに於いて、
宗派に、唱名データをそれぞれ対応付けて、所定の記憶装置にて保持している唱名データ保持手段と、
宗派に、唱名誤唱の許容度の大／小をそれぞれ対応付けて、所定の記憶装置にて保持している唱名許容度保持手段と、
を更に有し、
前記表示制御手段は、指定された宗派の唱名誤唱の許容度が小の場合は、当該宗派の唱名データを前記唱名データ保持手段から読み出して会葬案内映像内に表示する、
ことを特徴とする会葬作法案内装置。
【請求項７】
コンピュータを、請求項１〜請求項６の何れかの会葬作法案内装置として機能させるためのプログラム。
【発明の詳細な説明】
【技術分野】
【０００１】
本発明は、焼香作法等の会葬作法の案内装置と、コンピュータを焼香作法等の会葬作法の案内装置として機能させるためのプログラムに関する。詳しくは、宗派ばかりでなく地域もしくは土地或いは喪主や僧侶によっても異なり得る焼香等の会葬作法を、会葬者に対して、適切な映像等によって案内する装置とプログラムに関する。
【背景技術】
【０００２】
焼香等の会葬作法は、宗派毎に異なるばかりでなく、同じ宗派であっても、土地や喪主の家或いは葬儀を執り行う僧侶によっても少しずつ異なる。また、会葬者が喪主の宗派とは異なる作法で焼香等することに対する許容度も、宗派や土地毎に、或いは喪主や僧侶毎に、少しずつ異なる。
【０００３】
しかるに、適切な会葬作法を、葬儀や通夜の場に於いて会葬者に表示することにより案内する装置は知られていない。
例えば、会葬者が喪主の宗派とは異なる作法で焼香等することに対する宗派や喪主等の許容度を考慮して、当該の葬儀や通夜に於いて最小限要求される焼香等の作法を、押しつけがましくない程度に、動画等で示す装置は知られていない。
【０００４】
なお、冠婚葬祭の儀式に参列する人が利用可能な当該の儀式に必要な情報を、ピンポイントに作成する作成装置と方法は、特開２００６−２５１９４２号公報（特許文献１）に記載されている。しかしながら、これは、適切な会葬作法を会葬者に表示することにより案内する装置や方法ではない。
【先行技術文献】
【特許文献】
【０００５】
【特許文献１】特開２００６−２５１９４２号公報
【発明の概要】
【発明が解決しようとする課題】
【０００６】
本発明は、焼香作法等の会葬作法を、会葬者に対して、適切に案内できるようにすることを目的とする。即ち、宗派毎に異なるばかりでなく、同じ宗派であっても土地や喪主の家或いは葬儀を司る僧侶や寺によっても少しずつ異なり得る焼香等の会葬作法を、会葬者に対して、押しつけがましくなく、適切に案内できるようにすることを目的とする。
また、本発明は、会葬者が喪主の宗派とは異なる作法で焼香したり唱名を唱えたりすることに対する当該喪主や宗派等の許容度を考慮して、当該の葬儀等に於いて最小限要求される焼香等の作法を、会葬者に対して、押しつけがましくない程度に適切に案内できるようにすることを目的とする。
【課題を解決するための手段】
【０００７】
本発明の構成を、下記［１］〜［７］に記す。なお、この項（［課題を解決するための手段］）と次項（［発明の効果］）に於いて、符号や括弧書きで示すテーブル名等は理解を容易にするために付したものであり、本発明を符号やテーブル名等の構成に限定する趣旨ではない。
【０００８】
［１］構成１
映像識別情報に、会葬作法を演ずる会葬案内映像をそれぞれ対応付けて、所定の記憶装置１７にて保持している映像データ保持手段（映像ＩＤ−映像データ）と、
宗派に、前記映像識別情報の何れかをそれぞれ対応付けて、所定の記憶装置１７にて保持している宗派−映像保持手段（宗派−映像テーブル）と、
所定の装置１１ａ−１１ｂ（又は１８ａ−１８ｂ）を介する入力によって指定された宗派に対応付けられている映像識別情報（映像ＩＤ）が指示する会葬案内映像を、前記映像データ保持手段（映像ＩＤ−映像データ）から読み出して、所定の表示装置１９に表示する表示制御手段と、
を有することを特徴とする会葬作法案内装置。
［２］構成２
構成１に於いて、
宗派に、会葬作法簡略化の許容度をそれぞれ対応付けて、所定の記憶装置１７にて保持している作法許容度保持手段（宗派−許容度テーブル）と、
宗派に、会葬作法簡略化の態様を説明する簡略化説明情報をそれぞれ対応付けて、所定の記憶装置１７にて保持している簡略化情報保持手段（宗派−説明情報テーブル）と、
を更に有し、
前記表示制御手段は、指定された宗派の会葬作法簡略化の許容度が所定レベル以上であることを条件として、当該宗派に対応付けられている簡略化説明情報を前記簡略化情報保持手段（宗派−説明情報テーブル）から読み出して会葬案内映像内に表示する、
ことを特徴とする会葬作法案内装置。
［３］構成３
構成２に於いて、
前記表示制御手段は、所定の入力装置１１ａ−１１ｂからの操作入力により会葬作法簡略化の態様の説明が指令されたことを更なる条件として、簡略化説明情報を読み出して表示する、
ことを特徴とする会葬作法案内装置。
［４］構成４
構成２又は構成３に於いて、
前記作法許容度保持手段（宗派−許容度テーブル）が保持する各宗派の許容度を揮発性メモリ１４の所定の領域に複写して、所定の入力装置１１ａ−１１ｂからの操作入力に応じて各別に書換可能なように保持する一時的作法許容度保持手段（メモリ１４上の宗派−許容度テーブル）、を更に有し、
前記表示制御手段は、会葬作法簡略化の許容度が所定レベル以上であるか否かを、前記一時的作法許容度保持手段（メモリ１４上の宗派−許容度テーブル）に保持されているデータを用いて判別する、
ことを特徴とする会葬作法案内装置。
［５］構成５
構成４に於いて、
前記簡略化情報保持手段（宗派−説明情報テーブル）は、宗派と会葬作法簡略化の許容度とに対応付けて簡略化説明情報を保持しており、
前記表示制御手段は、当該宗派と当該会葬作法簡略化の許容度とに対応付けられている簡略化説明情報を読み出して表示する、
ことを特徴とする会葬作法案内装置。
［６］構成６
構成２〜構成５の何れかに於いて、
宗派に、唱名データをそれぞれ対応付けて、所定の記憶装置１７にて保持している唱名データ保持手段（宗派−唱名テーブル）と、
宗派に、唱名誤唱の許容度の大／小をそれぞれ対応付けて、所定の記憶装置１７にて保持している唱名許容度保持手段（宗派−唱名テーブル）と、
を更に有し、
前記表示制御手段は、指定された宗派の唱名誤唱の許容度が小の場合は、当該宗派の唱名データを前記唱名データ保持手段（宗派−唱名テーブル）から読み出して会葬案内映像内に表示する、
ことを特徴とする会葬作法案内装置。
［７］構成７
コンピュータを、構成１〜構成６の何れかの会葬作法案内装置として機能させるためのプログラム。
【０００９】
会葬作法を演ずる会葬案内映像とは、例えば、図１（ｂ）内に例示するように、「香をいただき１回焼香する」様子等を撮影した映像である。映像データの形式としては、公知の形式（例：ａｖｉ，ｍｐｇ，ｆｌｖ，等）を適宜に用いることができる。
本明細書での宗派とは、通夜や葬儀を何らかの作法にしたがって執り行う拠り所となるものをいい、仏教の宗派に限定されない。例えば、神道の宗派でもよく、比較的新しい時代になって伝来したイスラム教やキリスト教等の宗派であってもよい。
宗派を指定する「所定の装置からの入力」は、ユーザが入力装置１１ａから操作入力によって宗派を指定する場合に限定されない。例えば、葬儀を執り行う僧侶の寺等を操作入力で選択すると、該寺等に所定のテーブルにより対応付けられている宗派を読み出して指定する構成でもよい。また、生前見積もり等で喪主等の個人情報が所定の記憶装置やＩＣカード１８ａ等に保持されている場合は、ＩＣカード１８ａのセットに応じて当該のデータを読み出して入力する構成でもよい。
会葬作法簡略化の許容度は、大と小の２つのレベルでもよく、大と中と小の３つのレベルでもよく、４つ以上のレベルでもよい。
会葬案内映像内に簡略化説明や唱名を表示する手法としては、例えば、映像や文字列をそれぞれプレーンメモリに展開してスーパーインポーズによりテロップ表示する手法を挙げることができる。
揮発性メモリとしては、例えば、ＲＡＭを挙げることができる。
唱名データとは、例えば、南無阿弥陀仏、南無妙法蓮華経等のデータである。
【発明の効果】
【００１０】
構成１は、映像識別情報に会葬作法を演ずる会葬案内映像をそれぞれ対応付けて所定の記憶装置にて保持している映像データ保持手段と、宗派に前記映像識別情報の何れかをそれぞれ対応付けて所定の記憶装置にて保持している宗派−映像保持手段と、所定の装置を介する入力によって指定された宗派に対応付けられている映像識別情報が指示する会葬案内映像を前記映像データ保持手段から読み出して所定の表示装置に表示する表示制御手段と、を有する会葬作法案内装置であるため、指定された宗派の会葬作法を示す案内映像を表示することができる。
構成２は、構成１に於いて、宗派に会葬作法簡略化の許容度をそれぞれ対応付けて所定の記憶装置にて保持している作法許容度保持手段と、宗派に会葬作法簡略化の態様を説明する簡略化説明情報をそれぞれ対応付けて所定の記憶装置にて保持している簡略化情報保持手段とを更に有し、前記表示制御手段は指定された宗派の会葬作法簡略化の許容度が所定レベル以上であることを条件として当該宗派に対応付けられている簡略化説明情報を前記簡略化情報保持手段から読み出して会葬案内映像内に表示する会葬作法案内装置であるため、会葬作法を簡略化することについての許容度が比較的大きな宗派の場合は、当該許容される簡略化の態様を説明する情報を併せて表示することができる。
構成３は、構成２に於いて、前記表示制御手段は、所定の入力装置からの操作入力により会葬作法簡略化の態様の説明が指令されたことを更なる条件として簡略化説明情報を読み出して表示する会葬作法案内装置であるため、簡略化説明の付加を望まない場合には説明を表示すべき旨を指令しないだけでよい。
構成４は、構成２又は構成３に於いて、前記作法許容度保持手段が保持する各宗派の許容度を揮発性メモリの所定の領域に複写して所定の入力装置からの操作入力に応じて各別に書換可能なように保持する一時的作法許容度保持手段を更に有し、前記表示制御手段は会葬作法簡略化の許容度が所定レベル以上であるか否かを前記一時的作法許容度保持手段に保持されているデータを用いて判別する会葬作法案内装置であるため、例えば、宗派としては許容度が小さいため簡略化表示をできない場合でも、喪主や僧侶或いは寺としての許容度が比較的大きい等の事情がある場合には、適宜、大きな許容度に（一時的に＝当該の葬儀等のみに於いて）変更して、簡略化の態様説明を表示することが可能である。
構成５は、構成４に於いて、前記簡略化情報保持手段は宗派と会葬作法簡略化の許容度とに対応付けて簡略化説明情報を保持しており、前記表示制御手段は当該宗派と当該会葬作法簡略化の許容度とに対応付けられている簡略化説明情報を読み出して表示する会葬作法案内装置であるため、例えば、許容度を（一時的に＝当該の葬儀等のみに於いて）変更して、別の態様の簡略化説明（例：更に許容範囲が大きい簡略化説明）を表示することができる。
構成６は、構成２〜構成５の何れかに於いて、宗派に唱名データをそれぞれ対応付けて所定の記憶装置にて保持している唱名データ保持手段と、宗派に唱名誤唱の許容度の大／小をそれぞれ対応付けて所定の記憶装置にて保持している唱名許容度保持手段とを更に有し、前記表示制御手段は指定された宗派の唱名誤唱の許容度が小の場合は当該宗派の唱名データを前記唱名データ保持手段から読み出して会葬案内映像内に表示する会葬作法案内装置であるため、唱名を誤って唱することに対する許容度が小さい宗派の場合、唱名を表示して案内することができる。
構成７は、コンピュータを構成１〜構成６の何れかの会葬作法案内装置として機能させるためのプログラムを提供することができる。
【図面の簡単な説明】
【００１１】
【図１】表示装置に表示される画面を例示する説明図であり、（ａ）はメニュー画面の一例、（ｂ）は焼香作法案内画面の一例を、それぞれ示す。
【図２】実施の形態の会葬作法案内装置を示すブロック図（ａ）と、（ａ）の会葬作法案内装置で実行される表示制御を図解する機能ブロック図（ｂ）。
【図３】図２内の補助記憶装置１７に保持されているか又は補助記憶装置１７から複写されて揮発性メモリ１４に保持されるテーブル等の説明図。（ａ）は映像ＩＤ−映像データ、（ｂ）は宗派−映像テーブル、（ｃ）は宗派−許容度テーブル、（ｄ）は揮発性メモリ１４上の宗派−許容度テーブルを、それぞれ示す。
【図４】図２内の補助記憶装置１７に保持されているテーブルの説明図。（ａ）は宗派−説明情報テーブル、（ｂ）は宗派−唱名テーブルを、それぞれ示す。
【図５】図２の会葬作法案内装置で実行される作法案内映像表示処理を示すフローチャートの一部。
【図６】図２の会葬作法案内装置で実行される作法案内映像表示処理を示すフローチャートの一部。
【図７】図２の会葬作法案内装置で実行される作法案内映像表示処理を示すフローチャートの残部。
【発明を実施するための形態】
【００１２】
図１（ｂ）のように焼香作法を案内する場合を例にとって、実施の形態の会葬作法案内装置を説明する。本会葬作法案内装置は、図２（ａ）に示すコンピュータ装置上で実現される。なお、図２（ａ）ではスタンドアローンの構成を例示しているが、ＬＡＮに接続された構成でもよい。例えば、補助記憶装置１７が、ＬＡＮを介してシステム制御部１０に接続されていてもよい。要は、本発明の機能を実現できる構成であれば、コンピュータシステム及びその各部の構成は任意である。
【００１３】
本装置は、概ね、以下の機能を有する。
即ち、喪主の宗派が指定されると、その宗派の焼香等の作法を演ずる映像を控室等のモニタに表示する。また、簡略化説明の表示がユーザの操作入力により指令されると、当該宗派・喪主の焼香作法に対する許容度に応じた簡略化説明（当該の焼香作法をどのように簡略化することができるかの説明）をテロップで表示する。さらに、唱名（南無阿弥陀仏等）を誤唱することに対する許容度が小さい宗派の場合は、当該宗派の唱名をテロップで表示する。なお、唱名の表示が操作入力で禁止された場合には、許容度が小さくても表示しないように構成してもよい。
【００１４】
まず、構成を説明する。
システム制御部１０は、本装置全体を制御する。即ち、各種入出力装置の制御やメモリ管理等を行う。また、各種のデータ処理を実行する。例えば、焼香作法及び必要に応じてテロップを表示するための作法案内映像表示処理（図５〜図７）を実行する。なお、焼香作法を演ずる動画像をプレーンメモリ１６に展開する処理、簡略化説明や唱名の文字列データに基づいて所定のフォントの文字画像（テロップ）をプレーンメモリ１６に展開する処理、複数のプレーンメモリ１６に展開した画像を重ねて合成して表示装置１９へ出力する処理は、プレーン処理部１５やフォント制御部１２が行い、システム制御部１０は、それら処理部１５，１２に対する指示を行う。また、図５〜図７の処理を実行するためのアプリケーションは補助記憶装置１７に保持されており、例えば、本装置の電源がオンされたときに読み出されて起動される。
【００１５】
入力装置１１ａはキーボードやポインティングデバイス等である。ユーザの操作入力による指令は、入力部１１ｂを介して、システム制御部１０へ入力される。
フォント制御部１２は、システム制御部１０が表示するよう指示した文字列（簡略化説明，唱名）データに基づいて、テロップ表示用の文字画像データを設定し、プレーンメモリ１６に展開する。
プレーン処理部１５は、システム制御部１０が表示を指示した焼香映像データを補助記憶装置１７から読み出してプレーンメモリ１６に展開し、及び、複数のプレーンメモリ１６，１６，の画像プレーンを重ねて合成して、表示装置１９へ出力する。これにより、表示装置１９では、図１（ｂ）に例示されるような画像（指定（選択）された宗派の焼香映像、又は、当該焼香映像に必要に応じてテロップを合成して成る画像）が表示される。なお、画像プレーンとは、画像レイヤーのことをいう。
カード入力部１８ｂは、ＩＣカード１８ａ等の所定の記録媒体がセットされたとき、その保持データを読み出して、システム制御部１０へ入力する。例えば、生前見積り等に基づいて喪主のデータ（宗派，許容度等）が記録されたカードが存在する場合に於いて、当該のカードがセットされると、その保持データをシステム制御部１０へ入力する。
【００１６】
補助記憶装置１７は、ハードディスク或いはＳＳＤ等によって構成される。この補助記憶装置１７には、本発明の機能を実現するアプリケーションや、図３及び図４に例示する各テーブル等が保持されている。
【００１７】
各テーブルには、以下のデータが保持されている。
映像ＩＤ−映像データには、映像ＩＤ（映像識別情報）に対応付けて、映像データを読み出すためのデータ（映像データの先頭アドレス，ファイル名等）が保持されている。映像データとしては、本実施の形態では、焼香作法を示す動画像のデータが複数用意されている。例えば、「香を額にいただき２回焼香する映像」等のデータである。
宗派−映像テーブルには、宗派に対応付けて、映像ＩＤが保持されている。
宗派−許容度テーブルには、宗派に対応付けて簡略化の許容度が保持されている。簡略化の許容度とは、焼香作法を簡略化してよいレベルを示す指数である。これは、作法を簡略化することに対する許容度が宗派によって異なることを考慮して設けたものである。本装置では、さらに、土地や喪主の家毎にも許容度が異なり得ることを考慮して、揮発性メモリ１４に複写したテーブルでは、その簡略化の許容度を書換可能とするとともに、当該揮発性メモリ１４に複写したテーブルを用いて当該葬儀での簡略化の許容度を判別するようにしている。
宗派−説明情報テーブルには、宗派と簡略化の許容度とに対応付けて、簡略化説明情報が保持されている。簡略化説明情報とは、焼香作法を簡略化する際、どのように簡略化することができるかを具体的に説明する情報である。例えば、「焼香に際して香を頭にいただく作法の宗派」に対応付けて、「香を頭に押しいただかなくても結構です」と説明する情報である。
宗派−唱名テーブルには、宗派に対応付けて、誤唱許容度と唱名が保持されている。唱名とは、例えば、「南無阿弥陀仏」等である。また、誤唱許容度とは、唱名を誤って唱えることに対する許容度の大／小を示す指数である。これは、或る宗派では他の宗派の唱名を誤って唱えても許容されるのに対して、別の或る宗派では他宗派の唱名を唱えることが許容されない等の事情があることを考慮して設けたものである。
【００１８】
以下、図５〜図７に即して、作法案内映像表示処理を説明する。
まず、メニュー画面（図１（ａ））を表示して、メニュー選択を待機する。
また、補助記憶装置１７に保持されている各種のデータ（図３〜図４参照）を、揮発性メモリ１４に複写する（Ｓ０１）。ここで、宗派−許容度テーブルでは、図３（ｄ）に示すように、簡略化の許容度は、入力装置１１ａやＩＣカード１８ａからのデータ入力に応じて書換可能なように、保持される。
【００１９】
ステップＳ１０〜Ｓ１８は、「１．」〜「４．」の何れかのメニュー選択後のユーザによる操作入力に応じて、データを設定する処理である。
例えば、メニュー「１．」の選択によって遷移した画面に於いて、簡略化の許容度を書き換えるべき旨の指令が入力装置１１ａからの操作入力により入力された場合は（Ｓ１１でＹＥＳ）、当該の宗派の簡略化の許容度（図３（ｄ）内）を、操作入力により指示された値に書き換える（Ｓ１２）。なお、その時点では未だ宗派が特定されていなかったために簡略化の許容度を書き換えるべきレコードを特定できない場合には、まず、宗派を指定するようにメニュー画面等で案内するか、又は、メニュー「１．」内で宗派を併せて入力させるように構成してもよい。
【００２０】
メニュー「２．」の選択によって遷移した画面に於いて、宗派を指定（選択）する操作入力が行われた場合は（Ｓ１３でＹＥＳ）、当該指定（選択）された宗派を、メモリ１４上に保持する（Ｓ１４）。
また、メニュー「３．」の選択によって遷移した画面に於いて、簡略化の説明を表示すべき旨が指令された場合は（Ｓ１５でＹＥＳ）、簡略化表示指令フラグを「１」にセットする（Ｓ１６）。なお、簡略化表示指令フラグ及び以下の各フラグは、全て、初期状態では「０」にリセットされているものとする。
また、メニュー「４．」の選択によって遷移した画面に於いて、唱名を表示すべき旨が指令された場合は（Ｓ１７でＹＥＳ）、唱名表示指令フラグを「１」にセットする（Ｓ１８）。
【００２１】
ステップＳ２０〜Ｓ２２は、ＩＣカード１８ａからのデータ入力が行われた場合の処理である。例えば、ＩＣカード１８ａから宗派を指定するデータが入力された場合は（Ｓ２１でＹＥＳ）、当該指定（選択）された宗派を、メモリ１４上に保持する（Ｓ２２）。ＩＣカード１８ａからの他のデータ入力については、図示及び説明を省略する。
【００２２】
何れかの宗派が指定されるまで、ステップＳ１０〜Ｓ２２の処理が繰り返される（Ｓ３１でＮＯ，Ｓ１０）。何れかの宗派が指定されると（Ｓ３１でＹＥＳ）、ステップＳ３３以降の処理が実行される。
【００２３】
前記ステップＳ１４又はステップＳ２２により何れかの宗派が指定された場合は（Ｓ３１でＹＥＳ）、ステップＳ３３へ進み、当該宗派の焼香作法を演ずる映像データを、宗派−映像テーブル（図３（ｂ））及び映像ＩＤ−映像データ（図３（ａ））を用いて取得して、映像表示用データを設定する。
【００２４】
ステップＳ４１〜Ｓ４７は、誤唱に対する当該宗派の許容度が小さい場合（Ｓ４１でＹＥＳ）、又は、許容度は大きくても、ユーザの操作入力により唱名を表示すべき旨が指令された場合（Ｓ４３でＹＥＳ）に、唱名データを宗派−唱名テーブル（図４（ｂ））から読み出して、テロップ表示用に設定する（Ｓ４５）処理である。唱名をテロップ表示用に設定した後に、唱名テロップフラグを「１」にセットする（Ｓ４７）。
【００２５】
ステップＳ５１〜Ｓ５７は、ユーザの操作入力により簡略化説明を表示すべき旨が指令され（Ｓ５１でＹＥＳ）、且つ、当該宗派の作法簡略化に対する許容度が比較的大きい場合（Ｓ５３でＹＥＳ，この例では許容度が１以上の場合）に、当該宗派・当該簡略化許容度に対応する簡略化説明情報を宗派−説明情報テーブル（図４（ａ））から取得して、テロップ表示用に設定する（Ｓ５５）処理である。簡略化説明をテロップ表示用に設定した後に、簡略化テロップフラグを「１」にセットする（Ｓ５７）。なお、ステップＳ５３で判別する簡略化の許容度としては、ユーザ入力により書換可能とされている許容度を用いている。このため、喪主の家や僧侶の事情に応じて、当該の宗派とは異なる許容度を適用することが可能となる。例えば、喪主の家が作法簡略化に対して比較的寛大である場合には、当該の宗派の標準よりも緩い簡略化した作法で案内することが可能となる。
【００２６】
ステップＳ６１〜Ｓ６７は、当該の宗派の作法に適う焼香映像を表示する際に、唱名テロップフラグの設定状態に応じて唱名テロップを併せて表示し／表示せず、及び、簡略化テロップフラグの設定状態に応じて簡略化説明テロップを併せて表示し／表示しない処理である。
即ち、唱名テロップフラグと簡略化テロップフラグの両者が「１」の場合は（Ｓ６１でＹＥＳ，且つ，Ｓ６２でＹＥＳ）、焼香映像とともに、唱名テロップ及び簡略化説明テロップを表示するように制御する（Ｓ６３）。
唱名テロップフラグは「１」であるが、簡略化テロップフラグは「０」の場合は（Ｓ６１でＹＥＳ，且つ，Ｓ６２でＮＯ）、焼香映像とともに唱名テロップのみを表示するように制御する（Ｓ６４）。
唱名テロップフラグは「０」であるが、簡略化テロップフラグは「１」の場合は（Ｓ６１でＮＯ，且つ，Ｓ６５でＹＥＳ）、焼香映像とともに簡略化説明テロップのみを表示するように制御する（Ｓ６６）。
唱名テロップフラグと簡略化テロップフラグの両者がともに「０」の場合は（Ｓ６１でＮＯ，且つ，Ｓ６５でＮＯ）、焼香映像のみを表示するように制御する（Ｓ６７）。
【００２７】
以上のように、焼香案内映像の表示が制御される。
上記では、唱名の誤唱に対する許容度が小さい場合は必ず唱名テロップを表示するように制御しているが、許容度が小さくてもユーザ入力により唱名表示が禁止された場合には唱名テロップを表示しないように制御を構成してもよい。
また、上記では表示装置を１台として説明しているが、図１（ａ）の画面を表示する表示装置と、図１（ｂ）の画面を表示する表示装置を、別の装置としてもよい。例えば、図１（ａ）の画面（設定画面）を表示する表示装置は葬儀場の事務室の机上に置いて操作入力に用い、図１（ｂ）の画面（焼香作法の案内画面）を表示する表示装置は会葬者控室に置くようにしてもよい。
また、上記では焼香作法に即して説明しているが、他の作法についても本発明を同様に適用可能である。
なお、図４（ａ）に示す簡略化説明情報等は例示であり、これ以外の説明を用いてよいことはもちろんである。
【符号の説明】
【００２８】
１０  システム制御部
１１ａ  入力装置
１１ｂ  入力部
１２  フォント制御部
１３  ＲＯＭ
１４  ＲＡＭ（揮発性メモリ）
１５  プレーン処理部
１６  プレーンメモリ
１７  補助記憶装置（ハードディスク，ＳＳＤ等）
１８ａ  記録媒体（ＩＣカード等）
１８ｂ  カード入力部
１９  表示装置
【図１】
2010055636.tif 000003
【図２】
2010055636.tif 000004
【図３】
2010055636.tif 000005
【図４】
2010055636.tif 000006
【図５】
2010055636.tif 000007
【図６】
2010055636.tif 000008
【図７】
2010055636.tif 000009